【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
１つの多値画像から濃度特性の異なる複数の擬似中間調画像を生成する手段と、
前記生成された複数の擬似中間調画像のうちの第１の擬似中間調画像と該第１の擬似中間調画像以外の擬似中間調画像のそれぞれとの差分である１つ又は複数の差分画像を生成する手段と、
前記第１の擬似中間調画像及び前記１つ又は複数の差分画像を記憶する手段と、
前記記憶された第１の擬似中間調画像とは異なる濃度特性で擬似中間調画像を印刷する場合に、前記記憶された差分画像のうち印刷する濃度特性に応じた差分画像と前記記憶された第１の擬似中間調画像とを合成した擬似中間調画像を印刷対象画像として出力する手段と
を備えたことを特徴とする画像処理装置。
【請求項２】
１つの多値画像から第１の擬似中間調画像を生成し、前記第１の擬似中間調画像とは異なる濃度特性を持つ１つ又は複数の擬似中間調画像のそれぞれと前記生成された第１の擬似中間調画像との差分である１つ又は複数の差分画像を生成する手段と、
前記第１の擬似中間調画像及び前記１つ又は複数の差分画像を記憶する手段と、
前記記憶された第１の擬似中間調画像とは異なる濃度特性で擬似中間調画像を印刷する場合に、前記記憶された差分画像のうち印刷する濃度特性に応じた差分画像と前記記憶された第１の擬似中間調画像とを合成した擬似中間調画像を印刷対象画像として出力する手段と
を備えたことを特徴とする画像処理装置。
【請求項３】
擬似中間調画像を印刷出力する際の記録用紙の搬送速度の設定値に応じて、前記擬似中間調画像を印刷するための濃度特性を判断する手段を備え、
前記記憶された第１の擬似中間調画像とは異なる濃度特性で擬似中間調画像を印刷するか否かは、前記判断の結果に応じて決定されることを特徴とする請求項１又は請求項２に記載の画像処理装置。
【請求項４】
外部の印刷装置から１つ又は複数のディザ閾値配列を取得する手段を備え、
前記差分画像を生成する手段は、前記取得したディザ閾値配列を含む異なる種類の複数のディザ閾値配列を用いて１つの多値画像に対して擬似中間調処理を施し、濃度特性の異なる複数の擬似中間調画像を生成し、
前記出力する手段は、前記合成した擬似中間調画像を前記印刷装置へ送信すること
を特徴とする請求項１に記載の画像処理装置。
【請求項５】
画像処理装置において実行される方法であって、
１つの多値画像から濃度特性の異なる複数の擬似中間調画像を生成するステップと、
前記生成された複数の擬似中間調画像のうちの第１の擬似中間調画像と該第１の擬似中間調画像以外の擬似中間調画像のそれぞれとの差分である１つ又は複数の差分画像を生成するステップと、
前記第１の擬似中間調画像及び前記１つ又は複数の差分画像を記憶するステップと、
前記記憶された第１の擬似中間調画像とは異なる濃度特性で擬似中間調画像を印刷する場合に、前記記憶された差分画像のうち印刷する濃度特性に応じた差分画像と前記記憶された第１の擬似中間調画像とを合成した擬似中間調画像を印刷対象画像として出力するステップと
を備えたことを特徴とする画像処理方法。
【請求項６】
画像処理装置において実行される方法であって、
１つの多値画像から第１の擬似中間調画像を生成し、前記第１の擬似中間調画像とは異なる濃度特性を持つ１つ又は複数の擬似中間調画像のそれぞれと前記生成された第１の擬似中間調画像との差分である１つ又は複数の差分画像を生成するステップと、
前記第１の擬似中間調画像及び前記１つ又は複数の差分画像を記憶するステップと、
前記記憶された第１の擬似中間調画像とは異なる濃度特性で擬似中間調画像を印刷する場合に、前記記憶された差分画像のうち印刷する濃度特性に応じた差分画像と前記記憶された第１の擬似中間調画像とを合成した擬似中間調画像を印刷対象画像として出力するステップと
を備えたことを特徴とする画像処理方法。
【請求項７】
擬似中間調画像を印刷出力する際の記録用紙の搬送速度の設定値に応じて、前記擬似中間調画像を印刷するための濃度特性を判断するステップを備え、
前記記憶された第１の擬似中間調画像とは異なる濃度特性で擬似中間調画像を印刷するか否かは、前記判断の結果に応じて決定されることを特徴とする請求項５又は請求項６に記載の画像処理方法。
【請求項８】
外部の印刷装置からディザ閾値配列を取得するステップを備え、
前記差分画像を生成するステップは、前記取得するステップにより取得したディザ閾値配列を含む異なる種類の複数のディザ閾値配列を用いて１つの多値画像に対して擬似中間調処理を施し、濃度特性の異なる複数の擬似中間調画像を生成し、
前記出力するステップは、前記合成した擬似中間調画像を前記印刷装置へ送信すること
を特徴とする請求項５に記載の画像処理方法。
【請求項９】
コンピュータに請求項５乃至８のいずれかに記載の画像処理方法を実行させるためのコンピュータプログラム。
【請求項１０】
コンピュータにより読み出し可能なプログラムを格納した記憶媒体であって、請求項９記載のコンピュータプログラムを格納したことを特徴とする記憶媒体。
【請求項１１】
濃度特性の異なる複数の擬似中間調画像のうちの第１の擬似中間調画像と該第１の擬似中間調画像以外の前記擬似中間調画像のそれぞれとの差分である１つ又は複数の差分画像が記憶された記憶手段と、
擬似中間調画像を印刷するための濃度特性を判断する手段と、
前記判断する手段により、前記記憶された第１の擬似中間調画像とは異なる濃度特性で印刷すると判断された場合に、前記判断された濃度特性に応じて前記記憶された差分画像と前記記憶された第１の擬似中間調画像とを合成した擬似中間調画像を印刷対象の擬似中間調画像として出力する手段と
を備えたことを特徴とする画像処理装置。
【手続補正２】
【補正対象書類名】明細書
【補正対象項目名】００１２
【補正方法】変更
【補正の内容】
【００１２】
このような目的を達成するために、本発明に係る画像処理装置は、１つの多値画像から濃度特性の異なる複数の擬似中間調画像を生成する手段と、前記生成された複数の擬似中間調画像のうちの第１の擬似中間調画像と該第１の擬似中間調画像以外の擬似中間調画像のそれぞれとの差分である１つ又は複数の差分画像を生成する手段と、前記第１の擬似中間調画像及び前記１つ又は複数の差分画像を記憶する手段と、前記記憶された第１の擬似中間調画像とは異なる濃度特性で擬似中間調画像を印刷する場合に、前記記憶された差分画像のうち印刷する濃度特性に応じた差分画像と前記記憶された第１の擬似中間調画像とを合成した擬似中間調画像を印刷対象画像として出力する手段とを備えたことを特徴とする。
【手続補正３】
【補正対象書類名】明細書
【補正対象項目名】００１３
【補正方法】変更
【補正の内容】
【００１３】
また、本発明に係る画像処理装置は、１つの多値画像から第１の擬似中間調画像を生成し、前記第１の擬似中間調画像とは異なる濃度特性を持つ１つ又は複数の擬似中間調画像のそれぞれと前記生成された第１の擬似中間調画像との差分である１つ又は複数の差分画像を生成する手段と、前記第１の擬似中間調画像及び前記１つ又は複数の差分画像を記憶する手段と、前記記憶された第１の擬似中間調画像とは異なる濃度特性で擬似中間調画像を印刷する場合に、前記記憶された差分画像のうち印刷する濃度特性に応じた差分画像と前記記憶された第１の擬似中間調画像とを合成した擬似中間調画像を印刷対象画像として出力する手段とを備えたことを特徴とする。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
また、本発明に係る画像処理方法は、画像処理装置において実行される方法であって、１つの多値画像から濃度特性の異なる複数の擬似中間調画像を生成するステップと、前記生成された複数の擬似中間調画像のうちの第１の擬似中間調画像と該第１の擬似中間調画像以外の擬似中間調画像のそれぞれとの差分である１つ又は複数の差分画像を生成するステップと、前記第１の擬似中間調画像及び前記１つ又は複数の差分画像を記憶するステップと、前記記憶された第１の擬似中間調画像とは異なる濃度特性で擬似中間調画像を印刷する場合に、前記記憶された差分画像のうち印刷する濃度特性に応じた差分画像と前記記憶された第１の擬似中間調画像とを合成した擬似中間調画像を印刷対象画像として出力するステップとを備えたことを特徴とする。
【手続補正６】
【補正対象書類名】明細書
【補正対象項目名】００１６
【補正方法】変更
【補正の内容】
【００１６】
また、本発明に係る画像処理方法は、画像処理装置において実行される方法であって、１つの多値画像から第１の擬似中間調画像を生成し、前記第１の擬似中間調画像とは異なる濃度特性を持つ１つ又は複数の擬似中間調画像のそれぞれと前記生成された第１の擬似中間調画像との差分である１つ又は複数の差分画像を生成するステップと、前記第１の擬似中間調画像及び前記１つ又は複数の差分画像を記憶するステップと、前記記憶された第１の擬似中間調画像とは異なる濃度特性で擬似中間調画像を印刷する場合に、前記記憶された差分画像のうち印刷する濃度特性に応じた差分画像と前記記憶された第１の擬似中間調画像とを合成した擬似中間調画像を印刷対象画像として出力するステップとを備えたことを特徴とする。
【手続補正７】
【補正対象書類名】明細書
【補正対象項目名】００１７
【補正方法】削除
【補正の内容】
【手続補正８】
【補正対象書類名】明細書
【補正対象項目名】００１９
【補正方法】変更
【補正の内容】
【００１９】
また、本発明にかかる画像処理装置は、画像処理装置濃度特性の異なる複数の擬似中間調画像のうちの第１の擬似中間調画像と該第１の擬似中間調画像以外の前記擬似中間調画像のそれぞれとの差分である１つ又は複数の差分画像が記憶された記憶手段と、擬似中間調画像を印刷するための濃度特性を判断する手段と、前記判断する手段により、前記記憶された第１の擬似中間調画像とは異なる濃度特性で印刷すると判断された場合に、前記判断された濃度特性に応じて前記記憶された差分画像と前記記憶された第１の擬似中間調画像とを合成した擬似中間調画像を印刷対象の擬似中間調画像として出力する手段とを備えたことを特徴とする。